【手続補正書】
【提出日】平成17年1月14日(2005.1.14)
【手続補正１】
【補正対象書類名】明細書
【補正対象項目名】全文
【補正方法】変更
【補正の内容】
【書類名】        明細書
【発明の名称】    光ケーブル接続用クロージャ
【特許請求の範囲】
【請求項１】  光ケーブル心線を導出入する心線導出入部と、該心線導出入部から入る心線を接続した心線接続部を収納する心線接続部収納部と、心線余長を巻回して収納する心線余長収納部とを備えた下層トレイと、上層トレイとを回動自在に重合してなるドロップ心線用トレイをクロージャ本体内に配備する光ケーブル接続用クロージャであって、
前記下層トレイと、上層トレイとに、心線を左右両方向いずれからも挿入送出できるように心線導出入部と心線保持部とを設けると共に、上下層両トレイにそれぞれ複数の内装トレイを回動自在に重ねて設けて、心線接続部と心線余長とをそれぞれ個別に一括収納する構成とし、該ドロップ心線用トレイを前記クロージャ内の中央部に設けたトレイ収納ケースの棚に水平に挿脱自在に複数段装着して備えたことを特徴とする光ケーブル接続用クロージャ。
【請求項２】  請求項１に記載の光ケーブル接続用クロージャにおいて、ドロップ心線用トレイが下層トレイと、上層トレイとを段積装着した積層個別収納トレイとし、上下層両トレイの各トレイの両側に心線保持部とスプリッタ収納部を設けて、トレイ収納ケースに多段に装着できる構成としてなることを特徴とする光ケーブル接続用クロージャ。
【請求項３】  請求項１または請求項２に記載の光ケーブル接続用クロージャにおいて、ドロップ心線用トレイが前記下層トレイと、上層トレイとをトレイ本体内に積層した複数の内装トレイを入れ込み構造とすると共に、各内装トレイをヒンジ部で回動自在に連結してなり、該内装トレイに心線接続部収納部と心線余長収納部とを備えたことを特徴とする光ケーブル接続用クロージャ。
【請求項４】  請求項２または請求項３に記載の光ケーブル接続用クロージャにおいて、前記ドロップ心線用トレイが上下層の積層個別収納トレイであって、各トレイにそれぞれ数枚の内装トレイを配備して複数個別収納の多心ドロップ心線用トレイとし、各単心に分離した引通し単心線にチューブ被覆による分離保護部を設けて、該保護部のある単心線を前記ドロップ心線用トレイに入れて支持して単心線分岐する心線のテープ側接続部と、分岐部と単心線側接続部とが収納可能で、ドロップ心線の接続収納状態を維持する構成としたことを特徴とする光ケーブル接続用クロージャ。
【発明の詳細な説明】
【０００１】
【発明の属する技術分野】
本発明は、通信ケーブル、特に光ファイバ心線を有する光ファイバケーブル（以下光ケーブル）の架空、或いは地上区間のアクセス区間において、ケーブル接続点における外被接続並びに架空乃至地上ケーブルと、ドロップ光ファイバケーブル或いは集合ドロップ光ファイバケーブルの接続のために用いられ、光ケーブルの心線接続部を保護して、心線余長を収納し、心線の使用効率を高め単心運用に優れた光ケーブル接続用クロージャに関するものである。
【０００２】
【従来の技術】
従来、光ケーブルの分岐、引込、接続などを行う場合、クロージャ内においてケーブル心線相互を心線接続部によって接続すると共に、該心線接続部と、ケーブル心線の心線余長とを収納するための心線接続収納トレイを備えたクロージャが知られている。
このクロージャは、心線幹線用光ケーブルの本線から引き出された光ファイバ心線同士或いは分岐用光ケーブルから引き出された心線とを接続する心線接続部が収納される心線接続部収納部と、さらに接続された心線の余長部分を巻回して保護収納する心線余長収納部とを有する心線接続収納トレイを備えたものとして接続機能専用クロージャ或いはドロップ機能専用クロージャとして用いられている。
【０００３】
【発明が解決しようとする課題】
ところが、光ケーブルを用いた通信網では、光アクセス網の最適な配線形態とすることや、光アクセスサービスを迅速かつ安価に提供することが要請されているのに、単心運用作業が難しく光アクセス系設備の効率的な使用や経済的な使用が十分満足するものがない。特に、公知のドロップ心線用トレイでは、ケーブルの高密度、多心化或いは伝送高速度化が進むにつれて心線余長収納部ではその容量が不足しがちになり、これに対応するには収納トレイの枚数が増加して、接続分岐に伴う作業や配線整理がやりにくいし、さらには増設も簡単には対応できずコンパクト化できないといった問題が生じている。また光ケーブルの分岐作業においては、ドロップ光ファイバを引き落とすためには、例えば、２００〜４００心テープの光ケーブル本線から４心テープ単位で取り出して、そのうち１心のみを分岐心線に接続して単心に分離しているが、この場合取り出した４心テープは、必要な単心を残して他の心線は切断してしまうために、余った心線は、すべて下部側では使用不能となって不経済となるし、心線を再度本線に戻すことも出来ないなど取り扱いも不便になり、アクセス系設備の効率的かつ経済的な使用ができないなど問題があった。
【０００４】
本発明は、これら従来の事情に鑑みてなされたものであり、光ケーブルの心線の使用効率を高めるために、単心に分離することが可能な作業スペースを確保し、単心に分離した心線を保護することができて、光ケーブルの有効利用することが可能で、任意の心線を取り出す際に他の心線に影響を与えないで単心で使用でき、心線の下部延ばしや、架空ループ配線にも対応でき、しかも一旦分岐した心線を再度本線に戻すこともできるなど、単心の分離、保護、収納作業に優れたクロージャにできるし、ドロップ心線用トレイの内装トレイが枚数を半減され厚さをも減らした状態で上層トレイと下層トレイに回動自在に重合した構成とすることで、配線作業が容易に実施できて施工性に優れ、単心線ごとの接続機能とドロップ機能とを統合して整理することもでき、その収納並びに心線ごとの増減も簡単にでき増設も楽で、きわめてコンパクト化した構成で取扱い簡便な架空または地上載置用の光ケーブル接続用クロージャを安価な形態で提供することを目的とするものである。
【０００５】
【課題を解決するための手段】
上述の課題を解決するために、この発明は、光ケーブル心線を導出入する心線導出入部と、該心線導出入部から入る心線を接続した心線接続部を収納する心線接続部収納部と、心線余長を巻回して収納する心線余長収納部とを備えた下層トレイと、上層トレイとを回動自在に重合してなるドロップ心線用トレイをクロージャ本体内に配備する光ケーブル接続用クロージャであって、前記下層トレイと、上層トレイとに、心線を左右両方向いずれからも挿入送出できるように心線導出入部と心線保持部とを設けると共に、上下層両トレイにそれぞれ複数の内装トレイを回動自在に重ねて設けて、前記心線接続部と心線余長とをそれぞれ個別に一括収納する構成とし、該ドロップ心線用トレイを前記クロージャ内の中央部に設けたトレイ収納ケースの棚に水平に挿脱自在に複数段装着して備えたことを特徴とする。
【０００６】
この発明は、光ケーブル接続用クロージャにおいて、ドロップ心線用トレイが下層トレイと、上層トレイとを段積装着した積層個別収納トレイとし、上下層両トレイの各トレイの両側に心線保持部とスプリッタ収納部を設けて、トレイ収納ケースに多段に装着できる構成としてなることを特徴としている。
また、この発明では、ドロップ心線用トレイが前記下層トレイと、上層トレイとをトレイ本体内に積層した複数の内装トレイを入れ込み構造とすると共に、各内装トレイをヒンジ部で回動自在に連結してなり、該内装トレイに心線接続部収納部と心線余長収納部とを備えたことを特徴とする。
【０００７】      
さらに、本発明の光ケーブル接続用クロージャにおいては、前記ドロップ心線用トレイが上下層の積層個別収納トレイであって、各トレイに内装トレイがそれぞれ枚数を半減された状態でを配備して複層個別収納の多心ドロップ心線用トレイとし、各単心に分離した引通し単心線にチューブ被覆による分離保護部を設けて、該保護部のある単心線を前記ドロップ心線用トレイに入れて支持して単心線分岐する心線のテープ側接続部と、分岐部と単心線側接続部とが収納可能でドロップ心線の接続収納状態を維持する構成としたことを特徴としている。
【０００８】
【作用】
本発明の光ケーブル接続用クロージャは、光ケーブル心線の心線接続部並びに心線余長部分を保護収納する内装トレイの枚数を半減して厚さを減らした上層トレイと下層トレイがお互いに開閉自在に収納されているドロップ心線用トレイとなっているので、光需要に際して任意のクロージャにて本線から必要な単心線のみを引き落としたり、本線に戻したりすることが容易にできる。すなわち、光ケーブル本線からテープ単位で取り出して、テープに割りを入れて引き裂き単心線にさばいて分離する。例えば、工具でそのテープ表面に引き裂き用のノッチを入れ、小さな剪断力によって単心に分離するか、或いは割り入れテープから１心のみを選んで引き裂き分離するなどして接続したい空き単心線とドロップ心線とを接続して、残りは現用または空き心線として下部に送り込めるように保有しておくことが可能となる。また接続作業に必要な余長心線は、任意のドロップ心線用トレイを開いて、或いは取り出したりして接続部とともに収納しておく。
そして、空いている心線はその後のユーザーの加入など必要な単心線として使用することができ、単心に分離することが可能な作業スペース確保と、単心に分離した心線の保護とが簡易にすることができ、そのほか他の心線の接続作業や接続状況の点検、補修、確認、調整など作業をも統合してきわめて容易に行うことができる。
【０００９】        
また、ドロップ心線用トレイは、多段収納棚を前提としたものに収納し、接続単位で複層化したもので、心線接続部は心線接続部収納部に固定し、心線余長も心線余長収納部に曲率半径を確保した上で取り回し収納できるので、心線余長の吸収に自由度を持たせて納められ、伝送特性に悪影響を及ぼすことがない。
しかも、分離した単心線を保護することができ、その心線接続部が固定可能であるし、左右両方向のいずれからの心線からでも心線の引き落としができるので、架空ループ配線にも対応可能であり、また心線接続後にドロップ心線用トレイを移動させて、元の位置に戻しても光ケーブル心線に弛みが生じないし、心線に過度に屈曲することがなく曲率半径の小さい円弧状部分をも生じないで収納でき安全な保護ができるし、任意心線の取り出し、接続、再収納作業に対するハンドリング特性の向上が図れ、単心運用のため分離、保護、収納作業にも優れた機能を発揮できる。
さらに、分離心線と分岐心線並びにその心線接続部を収納するトレイの集合体となる収納トレイが、多段棚のトレイ収納ケースに挿し込むことで隣接されるトレイと容易に連結でき、またトレイ収納ケースから外して開閉することにより連結した各トレイを別個に開放露出することができ、接続作業や各トレイの更新並びに増設も容易にできる。
【００１０】
【発明の実施の形態】
本発明の実施例を図面を用いて説明すると、図１に示す心線接続クロージャ１には、下層トレイ２と上層トレイ３とを上下に分けて積み重ねたものからなるドロップ心線用トレイ１０が、複数組例えば４〜６段棚構造のトレイ収納ケース４の差し込み棚に挿脱自在に内装配備されている。  
この下層トレイ２並びに上層トレイ３には、図２に示す如く光ファイバ心線を導出入する心線導出入部１１と、該心線導出入部１１から入る心線相互を接続した心線接続部を収納する心線接続部収納部１２と、スプリッタ収納部１３と、心線余長を巻回して収納する心線余長収納部１４とを備えている。
【００１１】
そして、前記下層トレイ２及び上層トレイ３は、合成樹脂により一体成形またはおのおの成形された成形品であり、図２乃至図４に示すように、略長方形状の外形を有し、内面側が同一或いは相似形状に形成されたもので、各トレイ２，３を重ねた状態の心線トレイとして用い、前記下層トレイ２の底板の両側対称位置に設けた係合孔５，５をそれぞれ対向して設け、該係合孔５，５に、トレイ収納ケース４に嵌挿される支持棒６を通してドロップ心線用トレイ１０がクロージャ１内に複数一括して固定されるものである。
【００１２】
前記ドロップ心線用トレイ１０としては、図２乃至図３に示すように８心一括収納タイプとした１層目の下層トレイ２と、２層目の上層トレイ３とを重合したもので、心線の心線接続部ａが収納保持される心線接続部収納部１２と、ドロップケーブルに接続される分岐心線分離部またはスプリッタｂが収納保持されるスプリッタ収納部１３と、前記心線接続部ａから導出される心線に余長を引き廻し、ループ状に巻回させて保持する心線余長収納部１４とを区画して備え、心線押え片９のある略長方形の上層トレイ３と下層トレイ２とを用い、各トレイ２，３には、相似或いは同一形状の３枚の内装トレイ２１  ，２２  ，２３  及び内装トレイ３１  ，３２  ，３３  をそれぞれ枚数が半減され、厚さも減らした状態で重合配備された８層ドロップトレイとしてある。
この場合、前記クロージャ１内に固着したフレーム７に多段棚のトレイ収納ケース４を設け、該トレイ収納ケース４の複数段ある差し込み棚に前記下層トレイ２と上層トレイ３とを重層した状態で挿脱自在に備えて、下層トレイ２並びに上層トレイ３とが心線取出方向を上面にする方向で水平に装着され、心線接続部と心線余長とを一括収納できる構成とすると共に、該下層トレイ２或いは上層トレイ３とを観音開きに回動自在に設けてある。
【００１３】
例えば、図示のようにＡＯクロージャにおいて、４〜５段のトレイ収納ケース４の場合には、上側２段と下側２段を用いて、ドロップ心線用トレイ１０の４〜５枚（１トレイ，４０心で２００心）を収納ケース４に積層して収める。またドロップ心線用トレイ１０は、上下層トレイとして積層して用いられているので、トレイ収納ケース４の上側から使用していき、テープ接続２００心収納のときになど適宜選んで上段から下段に使用（ドロップ心線用トレイ使用）でき、また、下段から上段に向けて各段を有効利用することができ、テープ接続心の数量に対応して各トレイ２，３の装着が可能となる。また、ＳＳＤケーブル及びＳＳＷケーブルによる配線については、１段最上段に増設して適応することができる。
【００１４】
なお、複数の前記ドロップ心線用トレイ１０をトレイ収納ケース４、例えば多段の棚状ケースに着脱自在とするには、単独または前後方向を交互に逆に段積装着した積層収納した心線トレイとして用いる。この場合、下層トレイ２に突設された爪状の係合凸部８に係合する係合凹部は、前記トレイ収納ケース４の両側対称位置に備えればよく、該下層トレイ２を前後いずれの方向でも着脱自在に装着できる構成とすることもでき、さらにクロージャ１内でのドロップ心線用トレイ１０をトレイ収納ケース４から引き出し移動位置させて心線接続作業が簡便にできることも配慮できる。
【００１５】
また、前記下層トレイ２、上層トレイ３とに形成した心線導出入部１１には、分離スリットのある心線挿通孔を設けた弾性保持部材（図示せず）を圧入嵌合して心線の支持を確実にしてあり、この弾性保持部材は心線径或いは心線数に応じた挿通孔のあるナイロンチューブを選んで用いられる。
さらに前記心線接続部収納部１２、スプリッタ収納部１３及び心線余長収納部１４は、必要に応じガイドリブ及び側壁を選んで区画してもよいし、心線の浮きを阻止する心線係止片１５或いは係止爪を一体成形して、余長の心線や心線接続部ａをドロップ心線用トレイ１０内に確実に保持できるようにするか、また心線接続部収納部１２或いは心線余長収納部１４のみを区画した上下層トレイを組合せて一つとした形態としてもよく、各上下層トレイ毎に心線を分離整理収納し、ケーブル挿入部からファイバ心線の曲げが極少で心線収納時のねじれをも防止でき、安全かつ高密度収納で高信頼性が得られるようにすることが配慮される。
【００１６】
この場合、多段に積み重ねられたドロップ心線用トレイ１０の中から選んだドロップ心線用トレイ内の下層トレイ２の係合凸部８を外せば、トレイ収納ケース４から引き出し外して、上層トレイ３との重ね合せ面を開くことができて上下両層トレイ２，３の内面側が露出されて各内装トレイ２１  ，２２  ，２３  及び３１  ，３２  ，３３  が現れて開いたり取り出したりして収納心線の接続配線作業が容易にできる。
【００１７】
即ち、一方の下層トレイ２と他方の上層トレイ３に接続されている内装トレイ２１  ，２２  ，２３  及び内装トレイ３１  ，３２  ，３３  をそれぞれ一端或いは連結部を支点で回動すれば水平方向に軽く開くことができ、ドロップ心線用トレイ１０内において、分離した単心線と、トロップ心線との心線接続部ａの収納や心線余長の収納作業或いは新たな分岐作業並びに配線系の点検、補修、確認、調整など各作業をも統合してきわめて容易に行うことができる。
この内装トレイ２１  ，２２  ，２３  及び内装トレイ３１  ，３２  ，３３  としては、トロップ心線用トレイ１０の上下層トレイ２，３に分けて設けられているので、各上下層トレイ２，３ではそれぞれ枚数が半減され、厚さも減らした状態で重合配備された形となっており、下層トレイ２と上層トレイ３との相似形状のトレイとして上層側のものを小さい形の入れ込みタイプとして作業、取り扱いし易くするのが好ましいが、同一形状の複層タイプとすることもできる。
【００１８】
なお、前記心線導出入部１１は、片側に設けたシングルタイプに限らず両側に対に設け、即ち四隅に設けたダブルタイプのものを用いることもできるし、しかも合成樹脂の射出成形により、下層トレイ２及び上層トレイ３を略正方形、長方形の四角形または楕円形に形成されるので、心線接続部収納部１２およびスプリッタ収納部１３に隣接される心線余長収納部１４には所定間隔に配列される心線は心線係止片１５で伝送特性に悪影響が及ばないように心線が、なめらかに湾曲したループ状に巻回保持できるように配慮してある。
例えば、前記下層トレイ２および上層トレイ３には曲率半径３０ｍｍ以上を確保して心線の取り回して収納ができ、各種の接続部例えば、融着補強スリーブ、メカニカルスリーブ、ＭＴコネクタなどの収納可能であって、トレイ収納ケース４に４段のドロップ心線用トレイ１０を積層し、各トレイ単位で脱着可能に設け、心線余長と心線接続部を一括収納できる。
この場合は、ドロップ心線用トレイ１０の一つは、心線余長の吸収に自由度を持たせることもできるし、一つのトレイに４０心線分（４心テープ１０本分）の収納が可能で、さらに識別ホルダーを用いれば、接続数２００心単位の心線識別が可能の形態とすることもできる。
【００１９】
前記ドロップ心線用トレイ１０は、複数重ね合わせて棚状のトレイ収納ケース４に載置保持され、ヒンジ締結具（図示せず）により脱着自在に定着する二つ割りのスリーブからなる円筒状のクロージャ１内に組み込まれて用いられるが、フレーム７には配線処理ガイド１６と、ケーブル把持具１７とテンションメンバ把持具１８とを一体に形成され、前記クロージャ１の外側に配置固定できる配線リング１９を備えている。
【００２０】
前記クロージャ１のスリーブの両端壁嵌合部に嵌装された端面板２０とを備えたクロージャ１の例で説明すると、端面板２０にスペーサ（図示せず）を介して、幹線光ケーブルＡが貫通されてケーブル把持具１７で固定され、かつ、該ケーブルのテンションメンバが、テンションメンバ把持具１８に接続連結されている。また主線光ケーブルＡから導出されたテープ心線は、ドロップ心線用トレイ１０に処理されて端面板２０から導出されて引き落とし分岐ケーブルとして配線される。（図１）
前記スペーサには、ドロップケーブルの挿通用の閉塞孔を多数備え、引落し時に閉塞孔を開口してドロップケーブルをクロージャ外に導出入できるようにしてある。さらに、前記クロージャ１は、分割接合面にガスケットを介在して突き合わせ密封結合するが、スリーブ外側に設けたヒンジ部にループ状リングからなるヒンジ締結具によって掛止めて連結一体化するようになっている。
【００２１】
なお、前記ドロップ心線用トレイ１０の下層トレイ２に設けた係合孔５には、ドロップ心線用トレイ１０が複数積み重ねられたときに必要に応じ、支持棒６などをトレイ収納ケース４に嵌挿して連結固定保持するために用いてもよいし、上下段ごとに連結ボスを嵌装して連結する形態とすることもできる。
【００２２】
また、図３に示すように、前記ドロップ心線用トレイ１０の複数を互に心線取出方向を上面にする方向で水平に、かつそれぞれ個々に保持する多段棚のトレイ収納ケース４では、その心線導出入部１１に心線通路となる間隔をあけて複数のガイドリブなどで複数の心線通路を形成して、トレイが出入する心線を各ガイド片間に通して振り分け配線できるようにしてある。
【００２３】
さらにまた、クロージャ１には、複心光ファイバテープ心線を単心に分離してその内選ばれた単心をドロップ心線に接続分岐収納するドロップ心線用トレイ１０中の下層トレイ２に内装トレイ２１  ，２２  ，２３  を複数枚、即ち図に示すように枚数が半減し、厚さも減った状態で内装し、またドロップ心線のテープ側接続部と分岐部と、単心線側接続部とが収納可能な上層トレイ３にも内装トレイ３１  ，３２  ，３３  を複数枚、即ち枚数が半減し、厚さも減った状態で内装して配備して複層ドロップ心線用トレイ１０の配備としている。
前記下層トレイ２は、光ファイバ単心線Ｂを導入する心線保持部２１と、該心線保持部２１から入る単心線Ｂをドロップ心線Ｃに接続した心線接続部ａを収納する心線接続部収納部１２と、必要に応じ用いられるスプリッタｂを収納するスプリッタ収納部１３と、心線余長を巻回して収納する心線余長収納部１４とを備え、これに心線を接続した心線接続部ａを収納する心線接続部収納部１２と、心線余長を巻回して収納する心線余長収納部１４とを備えた内装トレイ２１  ，２２  ，２３  を複数枚多重に積み重ねてなるもので、また上層トレイ３は、ドロップ心線Ｃを導入するドロップ心線保持部２２と、該ドロップ心線保持部２２から入る心線相互を接続した心線接続部ａを収納する心線接続部収納部１２と、必要に応じ用いられるスプリッタｂを収納するスプリッタ収納部１３と、心線余長を巻回して収納する心線余長収納部１４とを備え、これに単心線Ｂとドロップ心線Ｃを接続した心線接続部ａを収納する心線接続部収納部１２と心線余長を巻回して収納する心線余長収納部１４とを備えた内装トレイ３１  ，３２  ，３３  を複数枚多重に積み重ねてなるもので、心線を収納状態と引出状態で固定でき、また心線を接続、収納した状態で取り出し開閉ができるものである。
【００２４】
この下層トレイ２と上層トレイ３は、複数層の重合状態でそれぞれヒンジ部２３によって観音開きに開閉自在に連結されて一組とし、テープ心線から分離した単心ごとに心線接続部と心線余長とを個別に一括収納できるドロップ心線用トレイ１０に構成され、該トレイ１０を複数段に前記クロージャ１内に設けたトレイ収納ケース４に挿脱自在に嵌装してある。この場合、前記下層トレイ２内には積層した内装トレイ２１  ，２２  ，２３  をまた、前記上層トレイ３内には積層した内装トレイ３１  ，３２  ，３３  を嵌合入れ込み構造とするのがよい。  
例えば４心テープを単心分離し、または分離心線を使用して単心線Ｂに心線接続部ａを介してドロップ心線Ｃを接続したり、更にスプリッタｂを介して変換した８心インドアケーブルの心線接続部及び心線余長を収納するケースとすることもできる。
【００２５】
なお、複数の前記下層トレイ２と、上層トレイ３および積層した各内装トレイ２１  ，２２  ，２３  並びに内装トレイ３１  ，３２  ，３３  には、心線の曲率半径円をＳ字状に切り返し配線できるように楕円筒状リブ２４を一対トレイ底面上に間隔をあけて対向配備した構成してある。
また、前記下層トレイ２には、その両側面部に係合凸部８と、ドロップテンションメンバ把持部２５をベース２６を介して突設し、該係合凸部８がクロージャ内の前記トレイ収納ケース４の案内溝に摺動自在に嵌装されると共に、該案内溝に形成されるロック部係脱する構成としてクロージャ１内でのドロップ心線用トレイ１０をトレイ収納ケース４から引き出し移動位置させて心線接続作業が簡便にできるようにしてある。
前記ドロップテンションメンバ把持部２５には、テンションメンバの差し込み口２８を形成してあって、これにテンションメンバを挿入してスパイラルシリコンチューブを被せて保護した単心線を取付固定し、この単心線をドロップ心線用トレイ１０内に挿入してドロップ単心線押え具２７によって支持してドロップ光ファイバケーブルＣが固着される。（図４及び図５）
即ち、前記ドロップテンションメンバ把持部２５にネジ止めした心線押圧片のドロップ単心線押え具２７で、Ｎｏ．１〜４の各トレイから出るドロップ心線が押えられるようにし、心線の飛び出し防止保護し、またドロップテンションメンバ把持部２５に固定されたドロップテンションメンバをさらに上から押しつける着脱自在のホルダーが備えられ、各トレイの移動時にドロップ光ファイバケーブルの捩れ防止に役立て、ドロップ光ファイバケーブルの移動の際に追ずい誘導をスムーズにできるように支持する構成となっている。
【００２６】
なお、前記ドロップ心線用トレイ１０には、曲率半径３０ｍｍ以上を確保して心線の取り回し収納ができ、各種の心線接続部ａ例えば、融着補強スリーブ、メカニカルスプライス、ＭＴコネクタなどの収納可能であって、心線ドロップ用トレイ３を４段に積層し、各心線トレイ単位で開閉或いは脱着可能に設け、心線余長と心線接続部を一括収納できる。
この場合は、上層トレイ３の一つは、心線余長の吸収に自由度を持たせることもできるし、一つのトレイに４０心線分（４心テープ１０本分）の収納が可能で識別ホルダーを用いれば、２０心単位の心線識別が可能の形態とすることもできる。
【００２７】
例えば、各内装トレイの組合せでは、トレイは一体成形品で嵌合入れ込み構造であるが、一体成形或いは着脱自在のヒンジ部で連結したりすることができる。上下層での各トレイ２，３は、それぞれヒンジ部２３で連結して組とする方式が採用されているが、一体成形のヒンジ連結構造としてもよいし、表面内装トレイの上面に蓋片を付設することもできる。
図６および図７の配線例では、主ケーブルの単心線Ｂを上下層トレイ２，３に４本ずつ配線しそれぞれの内装トレイ２１  ，２２  ，２３  並びに内装トレイ３１  ，３２  ，３３  に振り分けて、各線の融着接続部及び余長心線を収納して８心インドアケーブルのドロップ心線Ｃに接続使用することができる。
【００２８】
また、図８および図９の配線例では、主ケーブルの単心線Ｂを上下層トレイ２，３に１本ずつ挿入し、各線の心線接続部ａとスプリッタｂとを経て４線に分岐させ、その各線に接続する心線接続部を備えた配線状態で８心インドアケーブルのドロップ心線Ｃに接続使用する例で、上下層トレイ２，３を含めて内装トレイ２１  ，２２  ，２３  並びに内装トレイ３１  ，３２  ，３３  に振り分けて、各線の融着接続部及び余長心線を挿入収納して８心インドアケーブルのドロップ心線Ｃに接続使用することができる。
これらの場合、４心テープ心線が１本以上若しくは、０．２５ｍｍ単心線に０．９ｍｍの保護チューブを装着したものが４本以上のいすれかが挿入できる。また、各種テープまたは心線が２本以上挿入した際には、任意の心線を取り出すときに他の心線に影響を与えないように挿入することができる。
【００２９】
なお、単心に分離することが可能な作業スペースを確保するためには、積層個別収納タイプで、８心ドロップトレイによる高密度収納形態とするのがよく、接続失敗余長が１００ｍｍ以上を収納する方式を採用するのがよい。
【００３０】
また、単心に分離した前記単心線Ｂを保護するには、図１０に示すように、多心光テープを分離部によって引き通し単心線と引き落し単心線に分離して、該分離部をスパイラルシリコンチューブで保護する。例えば工具を使用して４心テープ心線を４心の単心線Ｂに分離する（図１０ａ）。次いで引き落し接続したい単心線Ｂの下部側を切断し、分離部から切断端までナイロンチューブの保護チーブＤを被覆して保護して引き落し単心線としたのち（図１０ｂ）、この引き落し単心線と単心線保護部の分離部にスパイラルシリコンチューブＥを巻き付けて一括保護し（図１０ｃ）、分離したテープ心線全体をスパイラルシリコンチューブＥを被せて保護する（図１０ｄ）。さらに心線保護シートＦによってスロットロッドＧにまとめて取付け（図１０ｅ）、接続用単心線をドロップ心線Ｃに融着接続部の心線接続部ａを介して接続して分岐処理するのがよく、この引き落し単心線およびドロップ心線の心線接続部ａと余長心線とを必要なドロップ心線用トレイ１０に挿入収納して引き落としケーブルのドロップ分岐処理するのがよい。
スプリッタ処理を行う際には、同一ドロップ心線用トレイ１０内において、光ケーブル心線とスプリッタおよび、スプリッタとトロップケーブルの接続ができる用にしたり、スプリッタ出線（分岐心線＋スプリッタ／テープ分離＋スプリッタ）の処理までをドロップ心線用トレイ１０で対応するようにすることが望ましい。
いずれにしても、前記ドロップ心線用トレイ１０は、多段棚状のトレイ収納ケース４に載置保持され、図１に示すように二つ割りのスリーブからなる円筒状のクロージャ１内に組み込まれて用いられ、該クロージャ１内では、前記配線ガイド１６によりテープ心線とドロップ心線との動きを分離させ、テープ心線は常に配線ガイド１６のうしろ側に配置させるのがよい。
【００３１】
前記８心インドアケーブルのドロップ心線Ｃによって引き落とし分岐配線するには、両端に嵌装された端面板２０を備えたクロージャ１の例で説明すると、端面板２０にスペーサを介して、主線光ケーブルＡが貫通されてケーブル把持具１７で固定され、かつ、該ケーブルのテンションメンバが、テンションメンバ把持具１８に接続連結されている。この主線光ケーブルＡから分岐した心線テープを分離した分離単心線Ｂがドロップ心線用トレイ１０に挿入されて心線接続部ａを介してドロップ心線Ｃに接続される。
さらに前記ドロップ心線用トレイ１０には、心線保持部２１とドロップ心線保持部２２並びにドロップテンションメンバ把持部２５を介してドロップ単心線押え具２７を心線導出入部１１の近傍に備えた構造のものを用い、配線ガイド１６を経由して単心線Ｂ及び引き落しケーブルの保護を容易にする。またドロップ心線用トレイ１０に導入する分離単心線Ｂに接続され、ドロップ心線用トレイ１０から導出されるドロップ心線Ｃは、端面板２０から導出されて分岐ケーブルとして配線される。
【００３２】
以上の構成からなるドロップ心線用トレイ１０において、テープ心線を単心線Ｂに分離したうち選ばれた単心線Ｂは、下層トレイ３のいずれか一方の心線導出入部１１から入ると、心線通路を通ると共に心線押え片９および心線係止片１５により押えられ、心線余長はいずれかの心線余長収納部１４内に入る。そして心線余長は、前記係止片１５によって押えられると共に、リブ２４の回りを巻回されて収納されるが、単心線Ｂはドロップ心線Ｃに心線接続部ａ或いはこれとスプリッタｂとを介して接続され、該心線接続部ａを心線接続部収納部１２に、またスプリッタｂはスプリッタ収納部１３に差込み保持する。この心線接続部ａから出るトロップ心線Ｃは、その心線余長収納部１４を通って、一方または他方の心線導出入部１１からドロップ心線用トレイ１０外部に出る。
【００３３】
このように、光ファイバケーブルを加入者宅等に引き落とす際に、トレイ各層が開く構造であると共に、単心に分岐するのに心線導出入部１１の一方側から単心線Ｂを入れる場合に、心線余長収納部１４に収納したときは、他方の心線導出入部１１側に出すことができる。
なお、心線導出入部１１の一方側から単心線Ｂを入れて心線余長収納部１４に収納する場合、単心線Ｂの巻回の仕方によって、両方の心線導出入部１１のいずれの側にも出すこともできる。
以上のように、いずれかの心線導出入部１１から単心線Ｂ或いはドロップ心線Ｃをドロップ心線用トレイ１０内に入れたり出したりすることができ、かつ心線の曲率を小さくすることなく（過負荷を加えることなく）、入口側となった心線導出入部１１と同一の又は異なる心線導出入部１１を出口側として出すことができる。これにより、心線の出入口側を自由に選んで、光ケーブル用クロージャ内での心線の配線の便宜を図ることができる。
【００３４】
ここで、心線導出入部１１には、貫通穴が形成されたスポンジゴム等の弾性変形可能な弾性保持部材が設けられ、心線は、この貫通穴を通って心線ドロップ心線トレイ１０内に入り、かつドロップ心線用トレイ１０外に出る。この心線支持用の弾性保持部材は係止片により保持される。  
このように弾性保持部材を心線導出入部１１に介在させれば、心線が心線導出入部１１を通るときに、心線がトレイ本体に擦れることや、或いは引張衝撃等を確実に防止することができる。
【００３５】
そして、前記心線ドロップ用トレイ１０の上下層トレイ２，３をヒンジ部２３で連結した重ね合わせ形態としたものを光ケーブル用クロージャ１内の多段棚のトレイ収納ケース４に挿入し順次積み重ねられるようにして実装される。
この積み重ねには、支持棒６で固定化し、重なり合う心線接続収納トレイ同士をネジ止め等することなく積層連結することができ、高密度収納構造の心線接続クロージャ１とすることができる（図１参照）。
この場合、心線ドロップ用トレイ１０の一つの心線導出入部１１から単心線Ｂを入れ心線接続部ａを心線接続部収納部１２に保持し、中央のリブ２４に巻回して同じ心線導出入部１１から取出て配線したり、或いは一方の心線導出入部１１から単心線Ｂを入れて心線接続部ａを保持し、心線余長を心線余長収納部１４に取り廻しして他方の心線導出入部１１から取り出す配線形態とすることが、上下層トレイ２，３および各心内装トレイ２１  ，２２  ，２３  並びに各内装トレイ３１  ，３２  ，３３  ごとに分けて行ってクロージャ１内で整理することができテープ心線から単心線Ｂをトロップ心線Ｃに分岐して引き落し配線できる。
【００３６】
例えば、単心分離の場合、現場で光ケーブルの外被を約５００ｍｍはぎ取り、スロットルから出てきた任意テープ心線（４心）の一つをツールを用いて単心分離を行い、テープ心線を単心分離後に４心のうちドロップしたい空き単心線のみを最遠端でカットし、ナイロンチューブで保護してからこの単心線をドロップ心線用トレイ１０内に取り込む。この場合、任意テープ心線（４心）のすべての単心を同時にドロップする形態でなくオーダごとに１心単位で空き単心線のみ（現用回線を除いて）をドロップすることになり、ドロップ光ファイバケーブル（×４）と接続したのちトレイ収納するが、内装トレイ３１  に導入された単心線Ｂは弾性保持部材で固定され、Ｎｏ．１〜４までに分岐されそれぞれのトレイに収納される。
即ち、図３或いは図８に示すように、Ｎｏ．２の内装トレイ３２    にはＮｏ．２の単心線Ｂを心線導出入部１１より入れ、心線押え片９および心線係止片１５の下をくぐらせて、心線余長収納部１４に引き廻し、心線接続部ａを心線接続部収納部１２に固定したのち、単心線Ｂをリブ２４の巻回して心線導出入部１１より導出し、前記下層トレイ３のドロップテンションメンバ把持具２５で固定してドロップ心線Ｃと接続されてクロージャ１外に引き落される。
そして前記心線ドロップ用トレイ１０の下層トレイ２内においても内装トレイ２２  と同時にＮｏ．１の単心線Ｂを引き廻し、心線接続部収納部１２と心線余長収納部１４とにそれぞれ整理配線されて、Ｎｏ．２〜４の各トレイから出た単心線とともにドロップテンションメンバ把持具２５に固定された状態で、クロージャ１内に安全に保護される。
【００３７】
さらに分離心線使用の場合には、この単心線Ｂとドロップ心線Ｃとを接続後にトレイ収納するが、心線ドロップ用トレイ１０に導入されたテープ心線は弾性保持部材で固定され、上下層２，３のＮｏ．１〜４までに分岐されそれぞれのトレイに整理配線されて収納されドロップテンションメンバ把持具２５に固定された状態で、クロージャ１内に保護されて用いられる。
【００３８】
なお、積み重ねた各心線ドロップ用トレイ１０は、それぞれ個別にトレイ収納ケース４から前方に引き出し可能で、引き出されたトレイの各層を所定の角度で開いて固定化できる構造としてあって、各トレイの出し入れや各層を開閉することによってトレイ内に収納された心線に損失などの影響が生ずることなく任意のトレイを取り出すことができる。
【００３９】
また、この前記心線ドロップ用トレイ１０を８層トレイとした場合には、Ｎｏ１〜４までの識別番号を下層トレイ２及び上層トレイ３に順次つけて配線取扱いやすくしてあり、しかも、各内装トレイは、上下層２，３に内装された際に積層したトレイ間での変形しないように配慮されている。
【００４０】
前記弾性保持部材は、心線径或いは心線数に応じた挿通孔のあるものを選んで用いられ、さらに心線接続部収納部１２及び心線余長収納部１４は、必要に応じガイドリブ及び側壁を選んで区画してもよいし、心線の浮きを阻止する心線押え片或いは係止爪を一体成形して余長の心線や心線接続部ａを心線ドロップ接続用トレイ１０内に確実に保持できるようにするか、また心線接続部収納部１２或いは心線余長収納部１４のみを区画した内装トレイ２１  ，２２  ，２３  を組合せて一つとした形態としてもよく、各心線ドロップ心線用トレイ１０毎に心線を分離整理収納し、ケーブル挿入部からファイバ心線の曲げが極少で心線収納時のねじれをも防止でき、安全かつ高密度収納で高信頼性が得られるようにする。
【００４１】
この場合、多段に積み重ねられたドロップ心線用トレイ１０の中から所望のトレイ１０の係合凸部８をトレイ収納ケース４から外せば、トレイ収納ケース４から引き出せ、上下層トレイ２，３の重ね合せ面を開くことができて、下層トレイ２，上層トレイ３の内面側を露出されて収納心線の点検、修理、接続の各作業が簡便に行うことができる。
【００４２】  
図１１及び図１２の本発明の他の実施例では、前記トレイ収納ケース４の最上段にトレイを増設して、ＳＳＤケーブル或いはＳＳＷケーブルによる配線に適応させたもので、トレイ収納ケース４に着脱自在の増設トレイ収納ケース３０を介してスプリッタ処理トレイ３１を設けると共に、クロージャ１の上方にＦＯトレイ３２を取付棚３３に付設して使用できるようにしてある。この場合スプリッタ処理トレイ３１は前記ドロップ心線用トレイ１０と同様のものを用いるのがよく、増設トレイ収納ケース３０は嵌合溝３４を備えトレイを該嵌合溝３４に沿って差込挿入できるもので係止部３４によって着脱自在に積層するのがよい。
【００４３】
【発明の効果】
本発明は、光ケーブル心線を導出入する心線導出入部と、該心線導出入部から入る心線を接続した心線接続部を収納する心線接続部収納部と、心線余長を巻回して収納する心線余長収納部とを備えた下層トレイと、上層トレイとを回動自在に重合してなるドロップ心線用トレイをクロージャ本体内に配備する光ケーブル接続用クロージャであって、前記下層トレイと、上層トレイとに、心線を左右両方向いずれからも挿入送出できるように心線導出入部と心線保持部とを設けると共に、上下層両トレイにそれぞれ複数の内装トレイを回動自在に重ねて設けて、心線接続部と心線余長とをそれぞれ個別に一括収納する構成とし、該ドロップ心線用トレイを前記クロージャ内の中央部に設けたトレイ収納ケースの棚に水平に挿脱自在に複数段装着して備えたことと、光ケーブルの心線の使用効率を高めるために、ドロップ心線用トレイの内装トレイが下層トレイと、上層トレイとに、設けられることで、ドロップ心線用トレイの内装トレイに枚数を半減して厚さを減らした形態での構成となることにより、単心に分離することが可能な作業スペースを確保でき、この単心に分離した心線を保護することと、光ケーブルの有効利用することが可能で、しかも構成のコンパクト化に寄与でき、さらに任意の心線を取り出す際に他の心線に影響を与えないで単心で使用でき、心線の下部延ばしや、架空ループ配線にも対応できると共に、一旦分岐した心線を再度本線に戻すこともできるなど、単心の分離、保護、収納作業に優れたクロージャとすることができる。
【００４４】
また本発明によれば、光ケーブル接続用クロージャにおいて、ドロップ心線用トレイが下層トレイと、上層トレイとを段積装着した積層個別収納トレイとし、上下層両トレイの各トレイの両側に心線保持部とスプリッタ収納部を設けて、トレイ収納ケースに多段に装着できる構成としてなること、下層トレイと、上層トレイとをトレイ内に積層した複数の内装トレイを入れ込み構造とし、各内装トレイに心線接続部収納部と心線余長収納部とを備えたことにより、単心線ごとの接続機能とドロップ機能とを統合して整理することもできるし、架空乃至地上ケーブルと、ドロップ光ファイバケーブル或いは集合ドロップ光ファイバケーブルの接続のために用いられ、ドロップ心線用トレイの内装トレイの枚数を半減して厚さを減らしたコンパクトな構成にでき、光ケーブルの心線接続部を保護し、心線余長をも収納して心線の使用効率を高められて単心運用と、作業施工性にも優れた光ケーブル接続用クロージャにすることができる。
【００４５】
さらに、本発明によれば、光ケーブル接続用クロージャにおいて、前記ドロップ心線用トレイが上下層の積層個別収納トレイであって、各上下層トレイにそれぞれ複数枚の内装トレイを分けて配備して多層個別収納の複心ドロップ心線用トレイとし、各単心に分離した引通し単心線にチューブ被覆による分離保護部を設けて、該保護部のある単心線を前記ドロップ心線用トレイに入れて心線保持部に支持して単心線分岐する心線のテープ側接続部と、分岐部と単心線側接続部とが収納可能で、ドロップ心線の接続収納状態を維持する構成としたことで、光ケーブル心線の接続機能とドロップ機能を統合でき、上下層の心線接続用トレイを簡単に多段に積み重ねることができ、しかも複数枚重ねられたトレイは光ケーブルの伝送特性に悪影響を与えることなく光ケーブルの接続や切り替え或いは分岐接続作業や再収集作業が容易に実施でき、複数接続単位で複層化とした高密度収納構造によって単心線ごとの収納や整理のほか心線ごとの増減が簡単にでき増設も楽で、きわめてコンパクトに心線接続部を安全に収納することができるので、心線接続作業後に任意の収納トレイを開いて収納されている光ファイバ心線を迅速に取り出すこともでき、心線識別も容易で接続部の再調整や修理など簡単に行うことができてその作業性を大幅に向上することができる。
【００４６】  
また本発明によれば、ドロップ心線用トレイの内部を複層化することで心線余長の収納が収まり良くできるし、心線の巻回収納にも余裕があり、しかも心線の保持も緩衝的に行なわれているので、心線に弛みが生じないし、各トレイを展開しても収納した光ファイバの心線余長の長さの変化が少なく、光ファイバ心線に無理な屈曲や小円弧が発生することなく光損失をなくして伝送特性を良好に保つことができる。
さらに、本発明によれば、心線の分岐、引込の際に接続用トレイへの心線導出入の自由度があって作業上、心線接続部へのアクセスが簡便化でき、管理や組立分解作業も容易に行なえ、かつ高密度・高信頼性が得られる。殊に、接続したい空き単心線とドロップ心線とを接続して、残りは現用または空き心線として下部に送り込めるように保有しておくことが可能となるし、また空いている心線はその後のユーザーの加入など必要な単心線として使用することができ、かつ単心に分離した心線の保護とも簡易にすることができ、そのほか他の心線の接続作業や接続状況の点検、補修、確認、調整など作業をも統合してきわめて容易に行うことができる。
【００４７】  
さらにまた、本発明でのドロップ心線用トレイは、多段収納棚を前提としたものに収納し、接続単位で複層化したもので、心線接続部は固定し、心線余長も曲率半径を確保した上で取り回し収納できるので、伝送特性に悪影響を及ぼすことがないし、任意心線の取り出し、接続、再収納作業に対するハンドリング特性の向上が図れ、単心運用のため分離、保護、収納作業にも優れた機能を発揮でき、クロージャとして安全性を大幅に高め、心線余長収納での高信頼性が得られるし、必要なだけ多段に積み重ねた心線接続用トレイ同士が外れたりずれたりすることなく、簡単確実に結合されて識別容易な心線接続部を持ったクロージャとして安全性を大幅に高め、心線余長収納での高信頼性がえられるし、収納トレイ相互間を脱着でき取扱いも著しく容易化でき、かつコンパクト化が図れる。
【図面の簡単な説明】
【図１】
図１は本発明の実施例の一使用状態の一部縦断面図である。
【図２】
図１の例で用いられる心線接続収納ケースを示し、（ａ）はその平面図、（ｂ）はその正面図、（ｃ）はその側面図である。
【図３】
図１の例のドロップ心線用トレイを示す展開平面図である。
【図４】
図１の例のドロップ心線用トレイの下層トレイの一部の拡大平面図である。
【図５】
図３の例の下層トレイのドロップテンションメンバ把持部を拡大して示したもので、（ａ）はその平面図、（ｂ）はその側面図、（ｃ）はその正面図である。
【図６】
図３の例のドロップ心線用トレイの配線イメージの一例を示す平面図である。
【図７】
図６の例の単心線接続状態の一例を示す平面図である。
【図８】
図３の例のドロップ心線用トレイの配線イメージの他例を示す平面図である。
【図９】
図８の例の単心線接続状態の一例を示す平面図である。
【図１０】
本発明の単心線運用の実施に際しての単心に分離した前記単心線の保護する手順（ａ）〜（ｅ）を示す説明図である。
【図１１】
本発明の他の実施例の使用状態の一部縦断面図である。
【図１２】
図１１の例で用いられる増設トレイ収納ケースを示し、（ａ）はその正面図、（ｂ）はその側面図、（ｃ）はその平面図である。    
【符号の説明】
ａ    心線接続部
ｂ    スプリッタ        
Ａ    光ケーブル        
Ｂ    単心線                
Ｃ    ドロッブ心線          
１    クロージャ                    
２    下層トレイ                  
２１  ，２  ２，２３    内装トレイ      
３    上層トレイ      
３１  ，３２  ，３３    内装トレイ      
４    トレイ収納ケース                
５    係合孔                          
６    支持棒            
７    フレーム                          
８    係合凸部                            
９    心線押え片                        
１０    ドロップ心線用トレイ          
１１    心線導出入部                    
１２    心線接続部収納部                    
１３    スプリッタ収納部                          
１４    心線余長収納部            
１５    心線係止片              
１６    配線処理ガイド            
１７    ケーブル把持具                    
１８    テンションメンバ把持具          
１９    配線リング              
２０    端面板                          
２１    心線保持部                
２２    ドロップ心線保持部                  
２３    ヒンジ部                            
２４    リブ                            
２５    ドロップテンションメンバ把持部                            
２６    ベース                          
２７    ドロップ単心線押え具                      
２８    差し込み口
【手続補正２】
【補正対象書類名】図面
【補正対象項目名】図２
【補正方法】変更
【補正の内容】
【図２】
2003215355.tif 000001
【手続補正３】
【補正対象書類名】図面
【補正対象項目名】図３
【補正方法】変更
【補正の内容】
【図３】
2003215355.tif 000002
【手続補正４】
【補正対象書類名】図面
【補正対象項目名】図４
【補正方法】変更
【補正の内容】
【図４】
2003215355.tif 000003
【手続補正５】
【補正対象書類名】図面
【補正対象項目名】図５
【補正方法】変更
【補正の内容】
【図５】
2003215355.tif 000004
【手続補正６】
【補正対象書類名】図面
【補正対象項目名】図６
【補正方法】変更
【補正の内容】
【図６】
2003215355.tif 000005
【手続補正７】
【補正対象書類名】図面
【補正対象項目名】図８
【補正方法】変更
【補正の内容】
【図８】
2003215355.tif 000006